(57)【要約】【課題】ユーザがより適切なゴルフスイングを習得することを補助し、理想的なゴルフスイング形成のための練習具を提供する。【解決手段】ゴルフ練習具１０であって、ベース部材１１と、ベース部材１１をユーザの膝以下の足の何れかの取り付け部位に取り付ける取り付け部材１５、１６と、取り付け部材１５、１６によってベース部材が取り付け部位に取り付けられた状態となるとき、ユーザの前方に延びるようにその基端側が該ベース部材１１に取り付けられる支持部材１３と、所定重量を有し、支持部材１３の先端側に取り付けられる重り部材１４と、を備える。【選択図】図３
2007330606.tif 000002
【特許請求の範囲】
【請求項１】
ベース部材と、
前記ベース部材をユーザの膝以下の足の何れかの取り付け部位に取り付ける取り付け部材と、
前記取り付け部材によって前記ベース部材が前記取り付け部位に取り付けられた状態となるとき、前記ユーザの前方に延びるようにその基端側が該ベース部材に取り付けられる支持部材と、
所定重量を有し、前記支持部材の先端側に取り付けられる重り部材と、
を備えるゴルフ練習具。
【請求項２】
前記ベース部材は、前記取り付け部位に巻きつけられる帯状の形状を有し、
前記取り付け部材は、前記ベース部材が前記取り付け部位に巻きつけられたとき、該ベース部材の一の部位と他の部位と連結し、該ベース部材の巻きつけ状態を維持することを特徴とする請求項１に記載のゴルフ練習具。
【請求項３】
前記支持部材は、その基端とその先端との間の長さが可変であることを特徴とする請求項１又は請求項２に記載のゴルフ練習具。
【請求項４】
前記ベース部材は、前記ユーザの利き腕と同じ側の足首に、且つ前記重り部材が該足首の内側に位置するように、前記取り付け部材によって前記取り付け部位に取り付けられることを特徴とする請求項１から請求項３の何れかに記載のゴルフ練習具。
【発明の詳細な説明】
【技術分野】
【０００１】
本発明は、適切なゴルフスイングを習得するための練習具に関する。
【背景技術】
【０００２】
従来、ゴルフスイングの練習をする場合、河原やゴルフ練習場に出向いたり、私設のネットを有する練習器具を使用したり、あるいは室内外で素振りの練習をしている。ここで、ゴルフにおいて理想的な飛球を得るためには、テークバックからスイングに至る軌跡において、適切な腕や腰の捻り、回転を行うとともに体重移動を行うことで、スイングによるエネルギーをゴルフボールに効率的に伝達する必要がある。
【０００３】
ここで、理想的なゴルフスイングを習得するための練習具として、特許文献１の技術が公開されている。この技術においては、足裏型付踏み台を使用する練習方法が開示されており、この足裏型付踏み台では、前側足用足裏型付踏台内底面において趾骨、中足骨位置にあたる面レベルより踵骨位置の面レベルを際立った落差を介して低くする。更に、後側の足用足裏型付踏台内底面においても踵骨位置面を緩やかな落差を介して低くする。この練習具を用いてスイング時の足の動きを支えたり、支持したりすることで、適切なスイングを習得することが可能になるとある。
【０００４】
また、上記とは異なった観点から理想的なゴルフスイングを習得するための練習具に関する技術が、特許文献２に開示されている。この技術においては、ユーザの足首と固定物とを結ぶゴム紐の途中にスイング練習用の球を置いて、スイング練習を行うことになる。これにより、比較的狭い場所で安全にスイングの練習を行うことが可能となる。
【特許文献１】特開２０００−３３４０７７号公報
【特許文献２】特開平１１−１９２６５号公報
【発明の開示】
【発明が解決しようとする課題】
【０００５】
ゴルフにおいて理想的な飛球を得るためには、適切な腕や腰の捻り、回転の動作が必要となってくる。この動作を行わないと体重移動もままならず、折角のスイングによって生まれたエネルギーを十分に且つ的確に球に伝えることが困難となる。しかし、多くの一般のゴルフプレーヤ（以下、「ユーザ」という。）は、理想的な体の動作を知識としては持っていても、実際にその通り体を動かし、更に繰り返し同じ動作を維持することは極めて困難である。これは、ゴルフが、比較的短時間で完了するゴルフスイングの動作の中で、日常の人間の動作とは異なる動作を正確に行うことを要求するスポーツであることによる。
【０００６】
本発明では、上記した問題に鑑み、ユーザがより適切なゴルフスイングを習得することを補助し、理想的なゴルフスイング形成のための練習具を提供することを目的とする。
【課題を解決するための手段】
【０００７】
本発明では、上記した課題を解決するために、ユーザの足における捩れに着目した。ユーザが理想的なゴルフスイングを行うためにテークバックを行ったとき、肩と腰が適切に捻られる。このとき、肩と腰の捩れが足にも伝わるため、この捩れを足で正確に再現させると、結果として、肩と腰の捩れがより理想に近い状態で再現され、以て理想的なゴルフスイングに帰結する。
【０００８】
詳細には、本発明は、ゴルフ練習具であって、ベース部材と、前記ベース部材をユーザ
の膝以下の足の何れかの取り付け部位に取り付ける取り付け部材と、前記取り付け部材によって前記ベース部材が前記取り付け部位に取り付けられた状態となるとき、前記ユーザの前方に延びるようにその基端側が該ベース部材に取り付けられる支持部材と、所定重量を有し、前記支持部材の先端側に取り付けられる重り部材と、を備える。
【０００９】
上記のゴルフ練習具は、ユーザの膝以下の足の取り付け部位に、ベース部材を介して取り付けられる。このベース部材は、ユーザによる使用の形態を考慮して、適宜適切な形状の素材を使用すればよいが、例えば前記ベース部材は、前記取り付け部位に巻きつけられる帯状の形状を有し、前記取り付け部材は、前記ベース部材が前記取り付け部位に巻きつけられたとき、該ベース部材の一の部位と他の部位と連結し、該ベース部材の巻きつけ状態を維持するようにしてもよい。即ち、取り付け部位にベース部材を巻きつけることで、ユーザはゴルフスイングの練習を行う。
【００１０】
このゴルフ練習具の特徴は、ユーザの膝以下の部位に取り付けられ、その部位からユーザの前方に向かって、重り部材が飛び出している点である。ユーザが適切なテークバック動作を行うと、一般には肩が約９０度捩れ、腰が約４５度捩れることになる。そして、この上半身の捩れを解放することで、その捩れにより溜められたエネルギーが球に伝達されて理想的な飛球を得ることが可能となる。
【００１１】
ここで、ゴルフスイング時にはユーザの足裏は地面に接触しているため、人間の骨格構造を考慮すると、この上半身の捩れが理想的な状態である場合は、この地面と接触している足裏を基点として、体の上部に向かうほどその捩れ量が大きくなるという形になる。従って、ユーザが本発明に係るゴルフ練習具を使用して理想的なゴルフスイングを行うと、この重り部材が上記捩れに応じた分だけ回転することになる。換言すると、重り部材を適切な量だけ回転させるように、ユーザが肩、腰等を捻りテークバック動作を行えば、理想的な飛球を得ることが可能となる。尚、本発明に係るゴルフ練習具が取り付けられるのが、膝以下の足の部位であるのは、テークバック動作を行うユーザが、重り部材の動きを十分に認識できるようにしつつ、そのテークバック動作を阻害しないようにするためである。
【００１２】
また、この重り部材は、所定重量を有している。この所定重量とは、ゴルフスイングの練習を行うユーザが、重りの存在を認識することが可能な程度の重量である。即ち、この重り部材の動きをユーザが認識することで、より確実に理想的なゴルフスイングが可能となる。
【００１３】
ここで、ユーザが重り部材の動きを認識する他の方法としては、支持部材の長さが挙げられる。即ち、支持部材の長さが長くなるほど、重り部材の重量によってユーザの足に作用するモーメントは大きくなるため、ユーザがより確実に重り部材の動きを認識することが可能となる。その結果、理想的なゴルフスイングの習得を早期に行い得る。但し、支持部材の長さが長くなるに従い、かえってユーザのスイングを阻害する弊害も考えられる。そこで、前記支持部材は、その基端とその先端との間の長さが可変であるようにしてもよい。このようにすることで、ユーザは、自己に適した支持部材の長さを得ることができる。
【００１４】
上述までのゴルフ練習具において、前記ベース部材は、前記ユーザの利き腕と同じ側の足首に、且つ前記重り部材が該足首の内側に位置するように、前記取り付け部材によって前記取り付け部位に取り付けられてもよい。重り部材の動きをユーザがより確実に認識することができ、且つスイングを阻害しない範囲での取り付け部位として、ユーザの利き腕と同じ側の足首の内側を例示するものである。
【発明の効果】
【００１５】
ユーザがより適切なゴルフスイングを習得することを補助し、理想的なゴルフスイング形成のための練習具を提供することが可能となる。
【発明を実施するための最良の形態】
【００１６】
ここで本発明に係るゴルフ練習具の実施の形態について図面に基づいて説明する。
【００１７】
図１に、利き腕が右のユーザによる一般的なゴルフスイングの流れを示す。尚、本実施例では、右利きのユーザに基づいて説明するが、本発明に係るゴルフ練習具は、左利きのユーザにも適用可能である。図１（ａ）は、ユーザ１がクラブ２をボールの位置に合わせて構えた状態である。その後、ユーザ１がテークバック動作を行って図１（ｂ）の状態（以下、「テークバック状態」という。）に至る。その後、ユーザ１はクラブ２を振り下ろして（図１（ｃ）の状態）、インパクトの瞬間を迎えて、フォロースルーの状態に至る（図１（ｄ）の状態）。
【００１８】
ここで、ゴルフスイングの中で着目すべきなのは、図１（ａ）の状態から（ｂ）のテークバック状態に至るまでの過程である。即ち、ユーザ１は肩を約９０度回転させるとともに腰を約４５度回転させることで、ユーザ１の右脚側に体重を集中させることができる。そして、この体重を、図１（ｂ）のテークバック状態から（ｃ）の状態へ至る過程で、ユーザ１の右脚側から左脚側に移動させる。このようにすることで、インパクトを迎えた瞬間、ユーザ１の体重によるエネルギーをボール伝えることが可能となり、以て理想的な飛球を得ることができる。従って、テークバック状態における体の捻りを理想的な状態とすることが、理想的な飛球を得るために重要であると言える。
【００１９】
ここでテークバック状態における体の理想的な捻りについて、図２に基づいて説明する。図２（ａ）は理想的なテークバック状態を示し、図２（ｂ）はゴルフスキルが十分でない者（例えば、初心者）のテークバック状態である。両者とも、同様に肩を捻ってクラブをユーザ１の右側側部から背部の辺りに持って来ている。しかし、両者の大きく異なる点は、ユーザ１の足から腰にかけての捻り具合とそれに伴う肩の捻り具合である。理想的なテークバック状態では、ユーザ１の足から腰、そして肩に至るまでの範囲で、ユーザ１の体全体が捻れた状態になる。当然、足、腰、肩のそれぞれの位置での捻れ量は、それぞれ異なるが、図２（ａ）の実線で囲まれた箇所に示すように、腰の周辺では、足、腰、そして上半身が捻れることで、ユーザ１のズボンに斜めの皺が寄る（本実施例では、ユーザ１は右利きであるので、左膝から右腰に至る皺が形成される）。
【００２０】
一方で、図２（ｂ）に示すテークバック状態では、腰の周辺での捻りが不十分であるため、実線で囲まれ部分より、図２（ａ）に示すようなズボンの皺は形成されていないのが分かる。その結果として、ユーザ１の肩を含む上半身の捻りも十分に行うことができず、腕を十分に捻り上げることができておらず、理想的な飛球を得ることが困難となる。
【００２１】
以上を踏まえて、本発明に係るゴルフ練習具１０の説明を図３、４、５に基づいて行う。図３は、ゴルフ練習具１０の構成を示す図であり、図４、５は、それが使用される状態（ユーザへの装着状態）を示す図である。ゴルフ練習具１０は、図４に示すようにユーザ１の足首に巻きつけて使用する練習具である。ゴルフ練習具１０は、帯状のベース部材１１から構成され、ベース部材１１に補強部材１２を介して棒状の支持部材１３が取り付けられている。支持部材１３のベース部材１１への取り付け方法は、ユーザ１の装着感等を考慮して適宜選択される。尚、補強部材１２は、支持部材１３および後述する重り部材１４の重さにより、ベース部材１１が破損するのを防止するためのものである。
【００２２】
支持部材１３は、自身がベース部材１１の長手方向に延びるように、その基端が補強部
材１２を介してベース部材１１に取り付けられている。一方で、支持部材１３の先端には、ネジが切られており、そのネジを介して重り部材１４が取り付けられている。この支持部材１３の長さ及び重り部材１４の重さは、後述するようにユーザ１に体の捻りを認識させるために重要である。本実施例では、体重６５ｋｇ程度のユーザを前提として、支持部材１３の長さ（ユーザに取り付けた際の取り付け部から先端までの長さ）を約１０ｃｍ、重り部材１４の重量を約３００ｇと設定しているが、これらは、ユーザの体型等に応じて適宜調整すればよい。尚、本実施例では、ネジを利用して重り部材１４と支持部材１３との連結を調整している。そこで、このネジを利用することで、結果的に重り部材１４と支持部材１３の基端との距離を調整することも可能である。
【００２３】
また、図３に示すように、ベース部材１１の表側と裏側には、マジックテープ（登録商標）によってベース部材１１をその端部同士で接続可能とする固定部１５、１６が設けられている。従って、ユーザ１が図４に示すようにベース部材１１を足首に巻きつけ、それを固定するときにこれらの固定部１５、１６が利用される。尚、本実施例では、ゴルフ練習具１０は、図４に示すように、利き手（右手）側と同じ側の足（右足）の足首に装着され、且つ、重り部材１４が取り付けられた足首の内側前方に位置するように装着される。従って、ユーザ１がゴルフ練習具１０を使用すると、両足の間のユーザ１の前方に重り部材１４が位置することになる（図５参照）。
【００２４】
ここで、図５に基づいて、本発明に係るゴルフ練習具１０の利用方法について説明する。上述したように、ユーザ１が理想的なテークバック状態を採ると、接地している右足の裏を基点として、足、腰、上半身、肩、そして腕に至る範囲で捻りが生まれる。従って、右足首にゴルフ練習具１０を装着していると、図５に示すように、テークバック状態に至ることで、重り部材１４がＳ１に示す位置からＳ２に示す位置に移動することになる。即ち、理想的な体の捻りを行えば、重り部材１４が足首をほぼ中心として回転動作することになる。
【００２５】
そこで、ユーザ１はゴルフスイングの練習として、右足首に巻きつけたゴルフ練習具１０の重り部材１４によって作用する足首へのモーメントを意識して、図５に示すような軌跡（Ｓ１→Ｓ２）を重り部材１４が採るようにテークバックを行うことで、理想的なテークバック状態を通して理想的なゴルフスイングを習得することが可能となる。このとき、ゴルフ練習具１０が装着されていない左足は、若干踵を上げるようにすると、上記重り部材１４の軌跡を描きやすくなる。
【図面の簡単な説明】
【００２６】
【図１】利き腕が右のユーザによる一般的なゴルフスイングの流れを示す図である。
【図２】ユーザがテークバック動作を行う際の体の捻りを示す図である。
【図３】本発明の実施例に係るゴルフ練習具の概略構成を示す図である。
【図４】図３に示すゴルフ練習具の装着の状態を示す図である。
【図５】本発明の実施例に係るゴルフ練習具を使用した際の、該練習具の動きを示す図である。
【符号の説明】
【００２７】
１０・・・・ゴルフ練習具
１１・・・・ベース部材
１２・・・・補強部材
１３・・・・支持部材
１４・・・・重り部材
１５、１６・・・・固定部
【図１】
2007330606.tif 000003
【図２】
2007330606.tif 000004
【図３】
2007330606.tif 000005
【図４】
2007330606.tif 000006
【図５】
2007330606.tif 000007